(57)【要約】【課題】ＲＦＩＤタグを取り出すことができる、寿司皿を提供する。【解決手段】寿司皿１は、皿本体２および蓋体３を備えている。蓋体３は、皿本体２に係合／離脱可能に設けられている。蓋体３が皿本体２に係合されることにより、蓋体３と皿本体２との間に、閉鎖された空間Ｓ１が形成される。また、蓋体３が皿本体２から離脱されることにより、空間Ｓ１が開放される。蓋体３と皿本体２との係合／離脱によって閉鎖／開放される空間Ｓ１に、ＲＦＩＤタグ４が収容されている。そのため、蓋体３を皿本体２から離脱させることにより、ＲＦＩＤタグ４が収容されている空間Ｓ１を開放することができ、その空間Ｓ１からＲＦＩＤタグ４を取り外すことができる。【選択図】図１
2014104271.tif 000002
【特許請求の範囲】
【請求項１】
回転寿司店で使用される寿司皿であって、
皿本体と、
前記皿本体に係合／離脱可能に設けられ、前記皿本体に係合された状態で前記皿本体との間に閉鎖された空間を形成する蓋体と、
前記空間に収容されるＲＦＩＤタグとを備える、寿司皿。
【請求項２】
前記蓋体に突設され、前記ＲＦＩＤタグに当接し、前記ＲＦＩＤタグを前記皿本体に押圧させる押圧凸部をさらに備える、請求項１に記載の寿司皿。
【請求項３】
前記皿本体は、底板部と、前記底板部から下方に延びる筒状の高台と、前記底板部の周縁から上方に立ち上がり、上端部が斜め外上方に延びる側壁部と、前記側壁部の前記上端部に連続して斜め外上方にさらに延び、前記側壁部の前記上端部の上面に対して一段上がった位置に上面を有する周縁部とを有し、
前記蓋体は、前記側壁部の前記上端部間に架設され、前記周縁部の上面に隣接する上面を有する蓋本体部を有し、
前記空間は、前記底板部、前記側壁部および前記蓋本体部に囲まれる空間である、請求項１または２に記載の寿司皿。
【請求項４】
前記皿本体は、前記側壁部の前記上端部の前記上面に立設され、前記周縁部の内端面と平行をなす筒状の嵌合壁部を有し、
前記蓋体は、前記蓋本体部の周縁から下方に延び、前記周縁部の前記内端面と前記嵌合壁部との間に嵌り込む嵌込部を有し、
前記ＲＦＩＤタグは、前記嵌合壁部の内側に配置される、請求項３に記載の寿司皿。
【請求項５】
前記皿本体は、前記底板部の上面に立設された筒状の係合壁部を有し、
前記蓋体は、前記蓋本体部の下面から下方に延び、前記係合壁部と平行をなして対向し、前記係合壁部に係合する係合部を有する、請求項３または４に記載の寿司皿。
【請求項６】
前記皿本体は、中央部が周縁部よりも下方に位置するように凹む上板部と、前記上板部の下面から下方に延びる筒状の高台とを有し、
前記高台の内周面には、ねじ溝が形成されており、
前記蓋体は、前記高台の内側に配置される蓋本体部と、前記蓋本体部の周縁部から下方に延び、外周面に前記ねじ溝に螺合するねじ山が形成された螺合部とを有し、
前記空間は、前記上板部、前記高台および前記蓋本体部に囲まれる空間である、請求項１または２に記載の寿司皿。
【発明の詳細な説明】
【技術分野】
【０００１】
本発明は、回転寿司店で使用される寿司皿に関する。
【背景技術】
【０００２】
回転寿司店では、循環型のコンベアが設けられており、そのコンベアの外側に、カウンタやテーブルが設置されている。コンベアは、調理人がいる厨房を経由している。調理人は、寿司を寿司皿に載せ、その寿司皿をコンベアに載せる。寿司が載せられた寿司皿は、コンベアの走行により、カウンタおよびテーブルの前を経由して搬送される。カウンタおよびテーブルに着席している客は、好みの寿司が載っている寿司皿を選び、その寿司皿をコンベア上から取り出して、寿司皿上の寿司を食べる。
【０００３】
回転寿司店の中には、客の飲食代金を自動的に集計するシステムやコンベア上を巡回する寿司の鮮度を自動的に管理するシステムなどを採用した店舗がある。このようなシステムを採用した回転寿司店では、ＲＦＩＤタグを備える樹脂製の寿司皿が使用される。寿司皿は、水および洗剤を用いて繰り返し洗浄される。一方、ＲＦＩＤタグは、水濡れに弱い。そのため、ＲＦＩＤタグは、寿司皿の洗浄の際に水などがかからないように、たとえば、寿司皿の成型の際に寿司皿に埋設されるか、または、寿司皿の裏面に貼着された後、液状樹脂の硬化層によって封止される。
【先行技術文献】
【特許文献】
【０００４】
【特許文献１】特開２００５−０００４０８号公報
【特許文献２】特開平１１−３４２０６１号公報
【特許文献３】特開２００１−１０４１３７号公報
【発明の概要】
【発明が解決しようとする課題】
【０００５】
樹脂製の寿司皿は、使用および洗浄の繰り返しにより、色あせたり、傷ついたりする。劣化した寿司皿は、見栄えが悪く、また、衛生面からも使用にふさわしくないので、廃棄される。
【０００６】
ＲＦＩＤタグの寿命は、寿司皿の寿命よりも長い。そのため、寿司皿が廃棄されるときに、その寿司皿に内蔵されているＲＦＩＤタグを再使用可能であることが多い。しかしながら、ＲＦＩＤタグが寿司皿内に封止された構成では、ＲＦＩＤタグを寿司皿から取り出すことができないので、寿司皿をＲＦＩＤタグごと廃棄しなければならない。
【０００７】
本発明の目的は、ＲＦＩＤタグを取り出すことができる、寿司皿を提供することである。
【課題を解決するための手段】
【０００８】
前記の目的を達成するため、本発明に係る寿司皿は、回転寿司店で使用される寿司皿であって、皿本体と、前記皿本体に係合／離脱可能に設けられ、前記皿本体に係合された状態で前記皿本体との間に閉鎖された空間を形成する蓋体と、前記空間に収容されるＲＦＩＤタグとを備える。
【０００９】
この構成によれば、蓋体は、皿本体に係合／離脱可能に設けられている。蓋体が皿本体に係合されることにより、蓋体と皿本体との間に、閉鎖された空間が形成される。また、蓋体が皿本体から離脱されることにより、蓋体と皿本体との間の空間が開放される。蓋体と皿本体との係合／離脱によって閉鎖／開放される空間に、ＲＦＩＤタグが収容されている。そのため、蓋体を皿本体から離脱させることにより、ＲＦＩＤタグが収容されている空間を開放することができ、その空間からＲＦＩＤタグを取り外すことができる。
【００１０】
寿司皿は、蓋体に突設され、ＲＦＩＤタグに当接し、ＲＦＩＤタグを皿本体に押圧させる押圧凸部を備えていることが好ましい。
【００１１】
この構成によれば、蓋体が皿本体に係合されると、押圧凸部がＲＦＩＤタグに当接し、ＲＦＩＤタグが皿本体に押圧される。これにより、ＲＦＩＤタグは、皿本体と蓋体とに挟持される。そのため、寿司皿に衝撃が加わっても、ＲＦＩＤタグの位置が皿本体および蓋体に対して固定された状態を維持することができる。
【００１２】
皿本体は、底板部と、底板部から下方に延びる筒状の高台と、底板部の周縁から上方に立ち上がり、上端部が斜め外上方に延びる側壁部と、側壁部の上端部に連続して斜め外上方にさらに延び、側壁部の上端部の上面に対して一段上がった位置に上面を有する周縁部とを有し、蓋体は、側壁部の上端部間に架設され、周縁部の上面に隣接する上面を有する蓋本体部を有していてもよい。
【００１３】
この構成によれば、皿本体の周縁部の上面と蓋体の蓋本体部の上面とを個別にデザインすることができ、皿本体と蓋体との組合せにより、寿司皿の多様な外観を得ることができる。
【００１４】
なお、底板部、側壁部および蓋本体部に囲まれる空間がＲＦＩＤタグを収容する空間となる。
【００１５】
また、その構成が採用される場合、皿本体は、側壁部の上端部の上面に立設され、周縁部の内端面と平行をなす筒状の嵌合壁部を有し、蓋体は、蓋本体部の周縁から下方に延び、周縁部の内端面と嵌合壁部との間に嵌り込む嵌込部を有していることが好ましい。
【００１６】
蓋体の嵌込部が皿本体の嵌合壁部と周縁部の内端面との間に嵌り込むことにより、蓋体の蓋本体部および嵌込部と皿本体の周縁部および側壁部との間の隙間は、嵌込部および嵌合壁部の表面に沿ったクランク状となる。そのため、蓋体と皿本体との間の隙間から空間に水などが進入することを防止でき、ＲＦＩＤタグの水濡れを防止することができる。
【００１７】
さらに、皿本体は、底板部の上面に立設された筒状の係合壁部を有し、蓋体は、蓋本体部の下面から下方に延び、係合壁部と平行をなして対向し、係合壁部に係合する係合部を有し、ＲＦＩＤタグは、嵌合壁部の内側に配置されることが好ましい。
【００１８】
蓋体の係合部が皿本体の係合壁部に係合することにより、皿本体と蓋体とが係合される。係合壁部が皿本体の底板部の上面に立設されているので、係合壁部と側壁部の上端部の上面に立設された嵌合壁部との間には、間隔が生じる。そして、ＲＦＩＤタグが嵌合壁部の内側に配置されているので、たとえ蓋体と皿本体との間の隙間から水などが進入しても、その水を嵌合壁部で堰き止めることができる。よって、ＲＦＩＤタグの水濡れを一層防止することができる。
【００１９】
皿本体は、中央部が周縁部よりも下方に位置するように凹む上板部と、上板部の下面から下方に延びる筒状の高台とを有し、高台の内周面には、ねじ溝が形成されており、蓋体は、高台の内側に配置される蓋本体部と、蓋本体部の周縁部から下方に延び、外周面にねじ溝に螺合するねじ山が形成された螺合部とを有し、空間は、上板部、高台および蓋本体部に囲まれる空間であってもよい。
【発明の効果】
【００２０】
本発明によれば、皿本体と蓋体との係合によって閉鎖される空間に、ＲＦＩＤタグが収容されている。そのため、蓋体を皿本体から離脱させることにより、その空間からＲＦＩＤタグを取り出すことができる。
【図面の簡単な説明】
【００２１】
【図１】図１は、本発明の第１の実施形態に係る寿司皿の断面図である。
【図２】図２は、本発明の第２の実施形態に係る寿司皿の断面図である。
【発明を実施するための形態】
【００２２】
以下では、本発明の実施の形態について、添付図面を参照しつつ詳細に説明する。
【００２３】
図１は、本発明の第１の実施形態に係る寿司皿の断面図である。
【００２４】
寿司皿１は、回転寿司店で使用される寿司皿である。寿司皿１には、たとえば、にぎり寿司、巻き寿司、軍艦巻などの寿司（図示せず）が載せられる。
【００２５】
寿司皿１は、皿本体２、蓋体３およびＲＦＩＤタグ４を備えている。
【００２６】
皿本体２は、メラミン樹脂、ポリプロピレン（ＰＰ）、ポリエチレンまたはＡＢＳ樹脂などのプラスチック材料を用いて形成されている。皿本体２は、底板部１１、高台１２、側壁部１３および周縁部１４を一体的に有している。
【００２７】
底板部１１は、略円形板状をなしている。
【００２８】
高台１２は、底板部１１の下面１６から下方に延びる扁平な円筒状をなしている。
【００２９】
側壁部１３は、底板部１１の周縁から上方に立ち上がっている。側壁部１３の上端部１７は、斜め外上方に延びている。
【００３０】
周縁部１４は、側壁部１３の上端部１７に連続して斜め外上方にさらに延びている。周縁部１４の上面１８は、側壁部１３の上端部１７の上面１９に対して一段上がっている。そのため、周縁部１４には、上面１８と上面１９との段差によって形成される段差面を内端面２０として有している。
【００３１】
また、皿本体２は、係合壁部３１および嵌合壁部３２を一体的に有している。
【００３２】
係合壁部３１は、底板部１１の上面１５の周縁部に立設されている。係合壁部３１は、円筒状をなしている。係合壁部３１の内周面３４の上端部には、環状の突部３３が形成されている。
【００３３】
嵌合壁部３２は、側壁部１３の上端部１７の上面１９に立設されている。嵌合壁部３２は、その外周面３６が周縁部１４の内端面２０と間隔を空けて平行をなす円筒状をなしている。
【００３４】
蓋体３は、メラミン樹脂、ポリプロピレン（ＰＰ）、ポリエチレンまたはＡＢＳ樹脂などのプラスチック材料を用いて形成されている。蓋体３の材料は、皿本体２の材料と同一であってもよいし、異なっていてもよい。蓋体３は、皿本体２に係合／離脱可能に構成されている。蓋体３は、蓋本体部４１、係合部４２、嵌込部４３および押圧凸部４４を一体的に有している。
【００３５】
蓋本体部４１は、円形板状をなしており、中央部が周縁部よりも下方に位置するように湾曲している。蓋体３が皿本体２に係合された状態で、蓋本体部４１は、皿本体２の側壁部１３の上端部１７間に架設される。また、蓋本体部４１の上面４５は、皿本体２の周縁部１４の上面１８と隣接する。
【００３６】
係合部４２は、蓋本体部４１の下面４６から下方に延びる円筒状をなしている。係合部４２の外周面４９の下端部には、環状の突部４７が形成されている。蓋体３が皿本体２に係合された状態で、係合部４２は、皿本体２の係合壁部３１の内周面３４と平行をなして対向する。また、突部４７は、係合壁部３１の突部３３に下方から係止する。
【００３７】
嵌込部４３は、蓋本体部４１の周縁から下方に延びている。蓋体３が皿本体２に係合された状態で、嵌込部４３は、周縁部１４の内周面２０と嵌合壁部３２の外周面３６との間に上方から嵌まり込む。
【００３８】
押圧凸部４４は、蓋本体部４１の下面４６において、係合部４２に対する蓋本体部４１の径方向の内側に突設されている。押圧凸部４４は、たとえば、突起状に形成され、蓋本体部４１と同心円上に互いに間隔を空けて複数設けられていてもよいし、蓋本体部４１と中心軸線を共通にする円筒状に形成されていてもよい。
【００３９】
蓋体３が皿本体２に係合された状態で、皿本体２と蓋体３との間には、皿本体２の底板部１１の上面１５、蓋体３の蓋本体部４１の下面４６、および蓋体３の係合部４２の内周面５０に囲まれる空間Ｓ１が形成される。
【００４０】
ＲＦＩＣタグ４は、その空間Ｓ１に収容される。ＲＦＩＣタグ４が空間Ｓ１に収容された状態で、ＲＦＩＣタグ４の下面５２は、底板部１１の上面１５に接触し、ＲＦＩＣタグ４は、底板部１１に下方から支持される。また、ＲＦＩＣタグ４の上面５１には、押圧凸部４４が上方から当接する。これにより、ＲＦＩＣタグ４は、底板部１１と押圧凸部４４とに挟持される。ＲＦＩＣタグ４は、情報を記録するためのＩＣ（図示なし）および無線信号の送受信のための送受信部（図示なし）などを備えている。
【００４１】
寿司皿１の組立ての際には、まず、ＲＦＩＤタグ４が底板部１１の上面１６における係合壁部３１の内側に配置される。
【００４２】
次に、蓋体３が皿本体２およびＲＦＩＤタグ４の上方に配置される。このとき、蓋体３の嵌込部４３が周縁部１４の内端面２０と嵌合壁部３２の外周面３６との間と対向するように、皿本体２と蓋体３とが位置合わせされる。
【００４３】
その後、蓋体３が皿本体２に近づけられる。その途中で、蓋体３の係合部４２の突部４７が皿本体２の係合壁部３１の突部３３に当接する。皿本体２と蓋体３とがさらに近づけられると、突部４７が突部３３から力を受けて、係合部４２がその径方向内側に窄まるように湾曲する。そして、突部４７が突部３３を乗り越えると、係合部４２が復元し、突部４７が突部３３の下方に入り込む。これにより、係合部４２と係合壁部３１とが係合し、皿本体２と蓋体３との係合が達成される。
【００４４】
寿司皿１からＲＦＩＤタグ４が取り出されるときには、皿本体２の底板部１１の中央を支点として、周縁部１４に下方への力が加えられる。これにより、皿本体２が反るように湾曲し、皿本体２の係合壁部３１の上端部が外側に開く。これにより、突部３３と突部４７との係合が解除される。この状態で、蓋体３が下方に向けられると、重力により、蓋体３が皿本体２から脱落し、ＲＦＩＤタグ４が収容されている空間Ｓ１が開放される。よって、その空間Ｓ１からＲＦＩＤタグ４を取り出すことができる。
【００４５】
以上のように、蓋体３は、皿本体２に係合／離脱可能に設けられている。蓋体３が皿本体２に係合されることにより、蓋体３と皿本体２との間に、閉鎖された空間Ｓ１が形成される。また、蓋体３が皿本体２から離脱されることにより、空間Ｓ１が開放される。蓋体３と皿本体２との係合／離脱によって閉鎖／開放される空間Ｓ１に、ＲＦＩＤタグ４が収容されている。そのため、蓋体３を皿本体２から離脱させることにより、ＲＦＩＤタグ４が収容されている空間Ｓ１を開放することができ、その空間Ｓ１からＲＦＩＤタグ４を取り外すことができる。
【００４６】
寿司皿１は、蓋体３に突設され、ＲＦＩＤタグ４に当接し、ＲＦＩＤタグ４を皿本体２に押圧させる押圧凸部４４を備えている。
【００４７】
蓋体３が皿本体２に係合されると、押圧凸部４４がＲＦＩＤタグ４に当接し、ＲＦＩＤタグ４が皿本体２に押圧される。これにより、ＲＦＩＤタグ４は、皿本体２と蓋体３とに挟持される。そのため、寿司皿１に衝撃が加わっても、ＲＦＩＤタグ４の位置が皿本体２および蓋体３に対して固定された状態を維持することができる。
【００４８】
皿本体２は、底板部１１と、底板部１１から下方に延びる筒状の高台１２と、底板部１１の周縁から上方に立ち上がり、上端部１７が斜め外上方に延びる側壁部１３と、側壁部１３の上端部１７に連続して斜め外上方にさらに延び、側壁部１３の上端部１７の上面１９に対して一段上がった位置に上面１８を有する周縁部１４とを有し、蓋体３は、側壁部１３の上端部１７間に架設され、周縁部１４の上面１８に隣接する上面４５を有する蓋本体部４１を有している。
【００４９】
皿本体２の周縁部１４の上面１８と蓋体３の蓋本体部４１の上面４５とを個別にデザインすることができ、皿本体２と蓋体３との組合せにより、寿司皿１の多様な外観を得ることができる。
【００５０】
皿本体２は、側壁部１３の上端部１７の上面１９に立設され、周縁部１４の内端面２０と平行をなす筒状の嵌合壁部３２を有し、蓋体３は、蓋本体部４１の周縁から下方に延び、周縁部１４の内端面２０と嵌合壁部３２との間に嵌り込む嵌込部４３を有している。
【００５１】
蓋体３の嵌込部４３が皿本体２の嵌合壁部３２と周縁部１４の内端面２０との間に嵌り込むことにより、蓋体３の蓋本体部４１および嵌込部４３と皿本体２の周縁部１４および側壁部１３との間の隙間は、嵌込部４３および嵌合壁部３２の表面に沿ったクランク状となる。そのため、蓋体３と皿本体２との間の隙間から空間に水などが進入することを防止でき、ＲＦＩＤタグ４の水濡れを防止することができる。
【００５２】
さらに、皿本体２は、底板部１１の上面１５に立設された筒状の係合壁部３１を有し、蓋体３は、蓋本体部４１の下面４６から下方に延び、係合壁部３１と平行をなして対向し、係合壁部３１に係合する係合部４２を有し、ＲＦＩＤタグ４は、嵌合壁部３２の内側に配置される。
【００５３】
蓋体３の係合部４２が皿本体２の係合壁部３１に係合することにより、皿本体２と蓋体３とが係合される。係合壁部３１が皿本体２の底板部１１の上面１５に立設されているので、係合壁部３１と側壁部１３の上端部１７の上面１９に立設された嵌合壁部３２との間には、間隔が生じる。そして、ＲＦＩＤタグ４が嵌合壁部３２の内側に配置されているので、たとえ蓋体３と皿本体２との間の隙間から水などが進入しても、その水を嵌合壁部３２で堰き止めることができる。よって、ＲＦＩＤタグ４の水濡れを一層防止することができる。
【００５４】
図２は、本発明の第２の実施形態に係る寿司皿の断面図である。
【００５５】
寿司皿１００は、皿本体１０２、蓋体１０３およびＲＦＩＤタグ４を備えている。
【００５６】
皿本体１０２は、メラミン樹脂、ポリプロピレン（ＰＰ）、ポリエチレンまたはＡＢＳ樹脂などのプラスチック材料を用いて形成されている。皿本体１０２は、上板部１１１、高台１１２および押圧凸部１１３を有している。
【００５７】
上板部１１１は、円形板状をなしており、中央部１１４が周縁部１１５よりも下方に位置するように湾曲している。
【００５８】
高台１１２は、上板部１１１の下面１１８から下方に延びる筒状をなしている。高台１１２の内周面１２１には、螺旋状のねじ溝１２２が形成されている。
【００５９】
蓋体１０３は、メラミン樹脂、ポリプロピレン（ＰＰ）、ポリエチレンまたはＡＢＳ樹脂などのプラスチック材料を用いて形成されている。蓋体１０３の材料は、皿本体１０２の材料と同一であってもよいし、異なっていてもよい。蓋体１０３は、皿本体１０２に係合／離脱可能に構成されている。蓋体１０３は、蓋本体部１３１および螺合部１３２を有している。
【００６０】
蓋本体部１３１は、円板状をなしている。蓋体１０３が皿本体１０２に係合された状態で、蓋本体部１３１は、高台１１２の内側に配置され、皿本体１０２の上板部１１１の下面１１８と対向する。
【００６１】
螺合部１３２は、蓋本体部１３１の周縁部１３３から下方に延びる筒状をなしている。螺合部１３２の外周面１３４には、螺旋状のねじ山１３５が形成されている。蓋体１０３が皿本体１０２に係合された状態で、ねじ山１３５は、皿本体１０２の高台１１２のねじ溝１２２と螺合される。
【００６２】
押圧凸部１１３は、蓋本体部１３１の上面１３６に突設されている。押圧凸部１１３は、たとえば、突起状に形成され、蓋本体部１３１と同心円上に互いに間隔を空けて複数設けられていてもよいし、蓋本体部１３１と中心軸線を共通にする円筒状に形成されていてもよい。
【００６３】
蓋体１０３が皿本体１０２に係合された状態で、皿本体１０２と蓋体１０３との間には、皿本体１０２の上板部１１１の下面１１８、皿本体１０２の高台１１２の内周面１２１、および蓋体１０３の蓋本体部１３１の上面１３６に囲まれる空間Ｓ２が形成される。
【００６４】
ＲＦＩＣタグ４は、その空間Ｓ２に収容されている。ＲＦＩＣタグ４が空間Ｓ２に収容された状態で、ＲＦＩＣタグ４の下面５２は、上板部１１１の下面１１８に接触し、ＲＦＩＣタグ４は、上板部１１１に下方から支持される。また、ＲＦＩＣタグ４の上面５１には、押圧凸部１１３が上方から当接する。これにより、ＲＦＩＣタグ４は、上板部１１１と押圧凸部１１３とに挟持される。
【００６５】
寿司皿１００の組立ての際には、まず、皿本体１０２が裏返しにされる。次に、ＲＦＩＤタグ４が上板部１１１の下面１１８における基端部１１６間の内側に配置される。
【００６６】
そして、蓋体１０３の螺合部１３２のねじ山１３５が皿本体１０２の高台１１２のねじ溝１２２と螺合される。これにより、皿本体１０２と蓋体１０３との係合が達成される。
【００６７】
寿司皿１００からＲＦＩＤタグ４が取り出されるときには、皿本体１０２と蓋体１０３とが互いに逆方向に回転されて、蓋体１０３の螺合部１３２のねじ山１３５と皿本体１０２の高台１１２のねじ溝１２２との螺合が解除される。これにより、蓋体１０３が皿本体１０２から離脱し、ＲＦＩＤタグ４が収容されている空間Ｓ２が開放される。よって、その空間Ｓ２からＲＦＩＤタグ４を取り出すことができる。
【００６８】
以上、本発明の２つの実施形態について説明したが、本発明は、さらに他の形態で実施することもできる。
【００６９】
また、前述の構成には、特許請求の範囲に記載された事項の範囲で種々の設計変更を施すことが可能である。
【符号の説明】
【００７０】
１      寿司皿
２      皿本体
３      蓋体
４      ＲＦＩＤタグ
１１    底板部
１２    高台
１３    側壁部
１４    周縁部
１７    上端部
１８    上面
１９    上面
２０    内端面
３１    係合壁部
３２    嵌合壁部
４１    蓋本体部
４２    係合部
４３    嵌込部
４４    押圧凸部
４５    上面
４６    下面
１００  寿司皿
１０２  皿本体
１０３  蓋体
１１１  上板部
１１２  高台
１１３  押圧凸部
１１４  中央部
１１５  周縁部
１１８  下面
１２１  内周面
１２２  ねじ溝
１３１  蓋本体部
１３２  螺合部
１３３  周縁部
１３４  外周面
１３５  ねじ山
Ｓ１    空間
Ｓ２    空間
【図１】
2014104271.tif 000003
【図２】
2014104271.tif 000004